(57)【特許請求の範囲】
【請求項１】
食器類を収納する洗浄槽と、洗浄槽を前方に引き出し自在に収納する洗浄機本体と、洗浄槽を洗浄機本体に収納される収納位置にロックするロック機構とを備える食器洗浄機であって、
ロック機構は、洗浄機本体の前端上部に垂設した板状の受け部材と、洗浄槽を収納位置に移動させる際に受け部材の下端を潜り抜けて受け部材の後面に係合するように洗浄槽に設けたフック部材と、洗浄槽の前面上部に設けた、受け部材に対するフック部材の係合を解除する揺動自在なロック解除レバーとで構成されるものにおいて、
ロック解除レバーに、ロック解除レバーの揺動軸よりも後方に位置させて、フック部材が一体に形成され、フック部材が受け部材に係合可能な上方の係合位置に移動するようにロック解除レバーを付勢する第１の付勢手段が設けられ、
更に、受け部材を、フック部材が係合可能な所定の下動端位置から上方に移動自在として、フック部材が受け部材の下端を潜り抜ける際に、受け部材が下動端位置からフック部材により上方に押し上げられるようにしたことを特徴とする食器洗浄機。
【請求項２】
前記受け部材を下動端位置に付勢する第２の付勢手段を備えることを特徴とする請求項１記載の食器洗浄機。
【発明の詳細な説明】
【技術分野】
【０００１】
本発明は、食器類を収納する洗浄槽と、洗浄槽を前方に引き出し自在に収納する洗浄機本体と、洗浄槽を洗浄機本体に収納される収納位置にロックするロック機構とを備える食器洗浄機に関する。
【背景技術】
【０００２】
従来、この種の食器洗浄機のロック機構として、洗浄機本体の前端上部に垂設した板状の受け部材と、洗浄槽を収納位置に移動させる際に受け部材の下端を潜り抜けて受け部材の後面に係合するように洗浄槽に設けたフック部材と、洗浄槽の前面上部に設けた、受け部材に対するフック部材の係合を解除する揺動自在なロック解除レバーとで構成されるものが知られている(例えば、特許文献１参照)。
【０００３】
このものでは、フック部材を上下方向に真直に移動自在なものとし、ロック解除レバーに突設した突起部をフック部材に形成した孔に係合させて、ロック解除レバーの揺動により突起部を介してフック部材を上下動させるようにし、更に、フック部材が受け部材に係合可能な上方の係合位置に上動するようにロック解除レバーを付勢する付勢手段を設け、ロック解除レバーを付勢手段に抗して揺動させたとき、フック部材が係合位置から下動して、受け部材に対するフック部材の係合が解除されるようにしている。
【０００４】
ところで、上記従来例のものでは、フック部材とロック解除レバーとが別体であるが、部品点数を削減してコストダウンを図る上で、ロック解除レバーに、ロック解除レバーの揺動軸よりも後方に位置させて、フック部材を一体に形成し、フック部材とロック解除レバーとを一体化することが考えられる。
【０００５】
然し、これでは、フック部材が揺動軸を支点にして円弧運動することになる。そして、フック部材が受け部材の下端を完全に潜り抜けて上方の係合位置に移動する際に、円弧運動に起因してフック部材が受け部材に対し後方に移動して、フック部材と受け部材との間に前後方向の隙間が空いてしまう。その結果、洗浄槽がこの隙間分だけ収納位置から前方に動き得ることになり、洗浄槽を収納位置に確実にはロックできなくなってしまう。
【先行技術文献】
【特許文献】
【０００６】
【特許文献１】特開２０１１−２０６１３０号公報(段落０００５、図７)
【発明の概要】
【発明が解決しようとする課題】
【０００７】
本発明は、以上の点に鑑み、フック部材とロック解除レバーとを一体化してコストダウンを図ると共に、洗浄槽を収納位置に確実にロックできるようにした食器洗浄機を提供することをその課題としている。
【課題を解決するための手段】
【０００８】
上記課題を解決するために、本発明は、食器類を収納する洗浄槽と、洗浄槽を前方に引き出し自在に収納する洗浄機本体と、洗浄槽を洗浄機本体に収納される収納位置にロックするロック機構とを備える食器洗浄機であって、ロック機構は、洗浄機本体の前端上部に垂設した板状の受け部材と、洗浄槽を収納位置に移動させる際に受け部材の下端を潜り抜けて受け部材の後面に係合するように洗浄槽に設けたフック部材と、洗浄槽の前面上部に設けた、受け部材に対するフック部材の係合を解除する揺動自在なロック解除レバーとで構成されるものにおいて、ロック解除レバーに、ロック解除レバーの揺動軸よりも後方に位置させて、フック部材が一体に形成され、フック部材が受け部材に係合可能な上方の係合位置に移動するようにロック解除レバーを付勢する第１の付勢手段が設けられ、更に、受け部材を、フック部材が係合可能な所定の下動端位置から上方に移動自在として、フック部材が受け部材の下端を潜り抜ける際に、受け部材が下動端位置からフック部材により上方に押し上げられるようにしたことを特徴とする。
【０００９】
本発明によれば、フック部材とロック解除レバーとを一体化してコストダウンを図ることができる。また、フック部材が受け部材を下動端位置から押し上げつつその下端を潜り抜けるため、フック部材が受け部材の下端を完全に潜り抜けたときの受け部材に対するフック部材の前後方向位置及び上下方向位置が、受け部材を下動端位置に固定した場合に比し前方及び上方にずれる。そのため、フック部材がロック解除レバーの揺動軸を支点にした円弧運動で上方に移動しつつ後方に移動しても、受け部材の後面にほぼ合致する前後方向位置でフック部材が係合位置まで移動し、これと同時に受け部材が下動端位置に下動して、受け部材の後面にフック部材が前後方向の隙間を生ずることなく係合する。従って、洗浄槽を収納位置に確実にロックできる。
【００１０】
尚、受け部材を自重で下動端位置に下動させることも可能であるが、これでは、摩擦等で受け部材が下動端位置まで下がりきらなくなる恐れがある。そのため、受け部材を下動端位置に付勢する第２の付勢手段を備えることが望ましい。これによれば、フック部材が係合位置に移動する際に受け部材を確実に下動端位置まで下動させることができる。
【図面の簡単な説明】
【００１１】
【図１】本発明の実施形態の食器洗浄機を示す斜視図。
【図２】図１のＩＩ−ＩＩ線で切断した要部の拡大断面図。
【図３】実施形態の食器洗浄機のロック機構の部分の分解状態の斜視図。
【図４】実施形態のロック機構の作動を示す説明図。
【図５】比較例のロック機構の作動を示す説明図。
【発明を実施するための形態】
【００１２】
図１を参照して、１は本発明の実施形態の食器洗浄機を示している。この食器洗浄機１は、食器類を収納する洗浄槽２と、洗浄槽２を前方に引き出し自在に収納する洗浄機本体３とを備えている。洗浄槽２内には、食器類を載せる食器かご２１や洗浄水を噴射するノズル２２等が設けられている。また、洗浄機本体３の上板３１の下には上下動自在な蓋体３２が配置されており、洗浄槽２を洗浄機本体３に収納される収納位置に押し込んだときに、蓋体３２が下動して洗浄槽２の上面を閉塞する。
【００１３】
また、食器洗浄機１は、図２に示す如く洗浄槽２を収納位置にロックするロック機構４を備えている。図３も参照して、ロック機構４は、洗浄機本体３の前端上部の枠体３３に垂設した板状の受け部材４１と、洗浄槽２を収納位置に移動させる際に受け部材４１の下端を潜り抜けて受け部材４１の後面に係合するように洗浄槽２に設けたフック部材４２と、洗浄槽２の前面上部に設けた、受け部材４１に対するフック部材４２の係合を解除する揺動自在なロック解除レバー４３とで構成されている。
【００１４】
尚、フック部材４２は、前面が起立した係合面４２１、後面が後方に向けて下方に傾斜した傾斜面４２２に形成されている。また、受け部材４１は、下部に後方への折返し部４１１を有しており、この折返し部４１１の後面にフック部材４２の係合面４２１が係合する。
【００１５】
ロック解除レバー４３は、洗浄槽２の前面パネル２３の上部に凹設した把手部２４内に設けられている。そして、把手部２４の横方向両側部に、ロック解除レバー４３をその横方向両側部に突設した揺動軸４３１（図３では片側の揺動軸のみを図示）において揺動自在に軸支している。
【００１６】
ここで、本実施形態では、フック部材４２とロック解除レバー４３とを一体化してコストダウンを図るため、ロック解除レバー４３に、その揺動軸４３１よりも後方に位置させて、フック部材４２を一体に形成している。また、把手部２４の横方向外側の前面パネル２３の内部空間に突出する揺動軸４３１の部分に下方にのびるアーム部４３２を突設している。そして、前面パネル２３の内部空間に固定されるブラケット２５とアーム部４３２との間に第１の付勢手段たる引張りバネ４４を張設して、フック部材４２が受け部材４１に係合可能な上方の係合位置に移動するように付勢している。尚、ブラケット２５には、フック部材４３が係合位置に存するときにアーム部４３２に押されてオンするリミットスイッチ２６が取付けられている。
【００１７】
また、受け部材４１は、フック部材４２が係合可能な所定の下動端位置から上方に移動自在であり、フック部材４２が受け部材４１の下端を潜り抜ける際に、受け部材４１が下動端位置からフック部材４２により上方に押し上げられるようにしている。より具体的に説明すれば、受け部材４１の横方向両側部に上下方向に長手の長孔４１２，４１２を形成すると共に、枠体３３に長孔４１２，４１２に対応するネジ孔３３１，３３１を形成し、各長孔４１２を通して各ネジ孔３１１に各取付ネジ４１３を螺入することにより、受け部材４１が下動端位置から所定ストローク（長孔４１２の上下方向長さと取付ネジ４１３の直径との差）だけ上方に移動自在となるようにしている。
【００１８】
また、枠体３３に受け部材４１との間に挟むようにして第２の付勢手段たる板バネ４５を共締めしている。板ばね４５の下部はＳ字状の湾曲部４５ａになっており、湾曲部４５ａの下端部を受け部材４１の折返し部４１１の上端に当接させて、受け部材４１を下動端位置に付勢している。尚、板バネ４５により受け部材４１に作用する下方への押圧力は、フック部材４２が受け部材４１の下端を潜り抜ける際に受け部材４１に作用する引張りバネ４４による上方への押圧力よりも小さくなるように設定されている。
【００１９】
次に、図４、図５を参照して、ロック機構４の作動について説明する。ここで、図４は、受け部材４１を下動端位置から所定ストロークＨだけ上方に移動自在とした本発明の実施形態のロック機構４の作動を示し、図５は、受け部材４１を下動端位置に固定した比較例のロック機構４の作動を示している。
【００２０】
図４、図５の(ａ)は、洗浄槽２の押し込みで受け部材４１にフック部材４２が当接し始めた状態を示しており、この状態では何れのロック機構４も差がない。図４、図５の(ｂ)は、ロック部材４２が受け部材４１の下端を潜り抜ける際に下死点まで移動した状態を示している。この状態において、本実施形態では、受け部材４１が下動端位置から所定ストロークＨだけ上方に押し上げられるため、フック部材４２の下方への揺動角度が比較例のものより小さく、揺動軸４３１と受け部材４１との間の前後方向距離Ｌ１が比較例の前後方向距離Ｌ１´よりも長くなる。
【００２１】
図４、図５の(ｃ)は、ロック部材４２が受け部材４１の下端を完全に潜り抜けた状態を示している。この状態においても、本実施形態では、受け部材４１が押し上げられたままになるため、フック部材４２の下方への揺動角度が比較例のものより小さく、揺動軸４３１と受け部材４１との間の前後方向距離Ｌ２が比較例の前後方向距離Ｌ２´よりも長くなる。
【００２２】
図４、図５の(ｃ)に示す状態からフック部材４２は上方の係合位置に移動するが、この際、フック部材４２は揺動軸４３１を支点にした円弧運動で上方に移動しつつ後方に移動する。そして、比較例のものでは、図５の(ｄ)に示す如く、フック部材４２が係合位置に移動した状態で受け部材４１の折返し部４１１の後面とフック部材４２の係合面４２１との間に前後方向の隙間が空いてしまい、洗浄槽２がこの隙間分だけ収納位置から前方に動き得ることになり、洗浄槽２を収納位置に確実にはロックできなくなってしまう。また、食器洗浄機１をシステムキッチンに組み込んだ場合、洗浄槽２が上記隙間分だけ収納位置から前方に動くと、食器洗浄機１に隣接するシステムキッチンの前面パネルと洗浄槽２の前面が面一にならず、システムキッチンの前面の一体感が損なわれてしまう。
【００２３】
これに対し、本実施形態では、図４の(ｃ)に示す位置から受け部材４１の折返し部４１１の後面に係合面４２１がほぼ合致する前後方向位置でフック部材４２が係合位置まで移動し、これと同時に受け部材４１が下動端位置に下動して、図４の(ｄ)に示す如く、受け部材４１の折返し部４１１の後面にフック部材４２の係合面４２１が前後方向の隙間を生ずることなく係合する。従って、洗浄槽２を収納位置に確実にロックできる。また、食器洗浄機１をシステムキッチンに組み込んだ場合に、システムキッチンの前面の一体感が損なわれるといった上記不具合も生じない。
【００２４】
以上、本発明の実施形態について図面を参照して説明したが、本発明はこれに限定されない。例えば、板バネ４５を省略して、受け部材４１を自重で下動端位置に下動させることも可能である。但し、これでは、摩擦等で受け部材４１が下動端位置まで下がりきらなくなる恐れがあるため、上記実施形態の如く板バネ４５、即ち、受け部材４１を下動端位置に付勢する第２の付勢手段を設けることが望ましい。
【符号の説明】
【００２５】
１…食器洗浄機、２…洗浄槽、３…洗浄機本体、４…ロック機構、４１…受け部材、４２…フック部材、４３…ロック解除レバー、４３１…揺動軸、４４…引張りバネ(第１の付勢手段)、４５…板バネ(第２の付勢手段)。
【図１】
0006038865.tif 000002
【図２】
0006038865.tif 000003
【図３】
0006038865.tif 000004
【図４】
0006038865.tif 000005
【図５】
0006038865.tif 000006